【事件の表示】
　特許第３０８１４８６号「コネクタ装置」の請求項１ないし４に係る特許に対する特許異議の申立てについて、次のとおり決定する。
【結　論】
　訂正を認める。
　特許第３０８１４８６号の請求項１ないし４に係る特許を維持する。
【理　由】
１．手続の経緯
　特許第３０８１４８６号の請求項１〜４に係る発明は、平成７年２月３日に特許出願され、平成１２年６月２３日に特許権の設定登録がされ、その後、特許異議申立人為永秀司より特許異議の申立がなされ、当審において取消理由が通知され、その指定期間内である平成１４年６月１４日に訂正請求がなされたものである。
　　
２．訂正の適否について
（１）訂正を求める事項
　特許権者は、願書に添付した明細書又は図面（以下、「特許明細書」という）について、以下の訂正を求めている。
ａ）特許明細書中、請求項１〜４の各々において、「挿通孔と、一端に設けられた解除テーパー部とを有し、該解除テーパー部が前記箱体内部に収納されると共に前記挿通孔が箱体の一面に設けられた前記孔部より露出し、さらに前記解除テーパー部が２つの弾性部を互いに離間させる位置と２つの弾性部を互いに離間させない位置との間を移動する係合解除部材」とあるのを、「内部に形成された挿通孔と、一端に設けられた解除テーパー部と、他端に設けられた操作部とを有し、該解除テーパー部が前記箱体内部に収納されると共に前記操作部が箱体の一面に設けられた前記孔部より露出し、さらに前記解除テーパー部が２つの弾性部を互いに離間させる位置と２つの弾性部を互いに離間させない位置との間を移動する係合解除部材」に訂正する。
ｂ）特許明細書中、請求項１〜４の各々において、「一端が前記係合解除部材の挿通孔より挿入されると共に挿入時において一面に前記接続係合片の係合爪と係合する係合溝部を有する導電性の挿通端子」とあるのを、「一端が前記係合解除部材の挿通孔より挿入されると共に挿入時において周面に前記接続係合片の係合爪と係合する係合溝部を有する導電性の挿通端子」に訂正する。
ｃ）特許明細書の段落【０００６】、【０００７】、【００２５】、【００２６】の各々において、「挿通孔と、一端に設けられた解除テーパー部とを有し、該解除テーパー部が前記箱体内部に収納されると共に前記挿通孔が箱体の一面に設けられた前記孔部より露出し、さらに前記解除テーパー部が２つの弾性部を互いに離間させる位置と２つの弾性部を互いに離間させない位置との間を移動する係合解除部材と、一端が前記係合解除部材の挿通孔より挿入されると共に挿入時において一面に前記接続係合片の係合爪と係合する係合溝部を有する導電性の挿通端子」とあるのを、「内部に形成された挿通孔と、一端に設けられた解除テーパー部と、他端に設けられた操作部とを有し、該解除テーパー部が前記箱体内部に収納されると共に前記操作部が箱体の一面に設けられた前記孔部より露出し、さらに前記解除テーパー部が２つの弾性部を互いに離間させる位置と２つの弾性部を互いに離間させない位置との間を移動する係合解除部材と、一端が前記係合解除部材の挿通孔より挿入されると共に挿入時において周面に前記接続係合片の係合爪と係合する係合溝部を有する導電性の挿通端子」に訂正する。
　　
（２）訂正の適否についての判断
（イ）上記訂正事項ａ）については、請求項１〜４に記載された「係合解除部材」について、その構成要素である挿通孔を「内部に形成された挿通孔」とし、また構成要素として「他端に設けられた操作部」を追加すると共に、当該操作部が箱体に設けられた孔部より露出するものとしたものであるから、この訂正は、請求項１〜４に係る発明の構成に欠くことができない事項である「係合解除部材」の構成を限定し、かつ明確にするものであって、特許請求の範囲の減縮、及び、明りょうでない記載の釈明を目的とするものである。
　そして、上記訂正事項ａ）は、特許明細書の段落【００１３】の「そして前記係合解除部材２には、解除テーパー部２ａ及び内部に段を有する段付挿通孔２ｂが形成され、そして一端にある操作部２ｃがコネクタ１の箱部１ｂに形成された孔部１０より外方へ露出するようにしてコネクタ１内に収納されている。」なる記載及び図２〜図４に示された構成に基づいたものであるから、特許明細書に記載した事項の範囲内でなされているものであるし、また、実質上特許請求の範囲を拡張し、又は変更するものでもない。
（ロ）上記訂正事項ｂ）については、請求項１〜４に記載された「挿通端子」について、その構成要素である「係合溝部」が設けられる箇所を「一面」から「周面」としたものであり、特許明細書の図３及び図４に示される、係合溝部が挿通端子の周面に設けられている構成に基づいてなされているから、この訂正は、請求項１〜４に記載された事項についての誤記の訂正もしくは図面の記載との整合を図るための明りょうでない記載の釈明を目的とするものである。
　そして、上記訂正事項ｂ）は、特許明細書に記載した事項の範囲内でなされているものであるし、また、実質上特許請求の範囲を拡張し、又は変更するものでもない。
（ハ）上記訂正事項ｃ）については、上記訂正事項ａ）及びｂ）により、請求項１〜４の記載が明りょうにされたことに伴うものであり、請求項１〜４の記載と発明の詳細な説明の記載との整合を図るための、明りょうでない記載の釈明を目的とするものである。
　そして、上記訂正事項ｃ）は、上記（イ）、（ロ）の訂正内容と実質的に同じものであるから、上述したとおり、特許明細書に記載した事項の範囲内でなされているものであるし、実質上特許請求の範囲を拡張し、又は変更するものでもない。
　　
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　　
３．特許異議の申立について
（１）本件訂正後の発明
　本件訂正後の請求項１〜４に係る発明（以下、「本件発明１〜４」という）は、訂正明細書の特許請求の範囲の請求項１〜４に記載されたとおりの次のものと認める。
　　
本件発明１：
「一面に孔部を備えた箱体と、互いに対向すると共に接近する方向へ屈曲した少なくとも２つの弾性部と、少なくとも一方の弾性部に設けられた係合爪とを有し、前記箱体内部に収納された導電性の接続係合片と、内部に形成された挿通孔と、一端に設けられた解除テーパー部と、他端に設けられた操作部とを有し、該解除テーパー部が前記箱体内部に収納されると共に前記操作部が箱体の一面に設けられた前記孔部より露出し、さらに前記解除テーパー部が２つの弾性部を互いに離間させる位置と２つの弾性部を互いに離間させない位置との間を移動する係合解除部材と、一端が前記係合解除部材の挿通孔より挿入されると共に挿入時において周面に前記接続係合片の係合爪と係合する係合溝部を有する導電性の挿通端子とを備えたことを特徴とするコネクタ装置。」
　　
本件発明２：
「一面に孔部を備えた箱体と、互いに対向すると共に接近する方向へ屈曲した略弓形の少なくとも２つの弾性部と、少なくとも一方の弾性部の一面において対向する他方の面に向かって突出した係合爪とを有し、前記箱体内部に収納された導電性の接続係合片と、内部に形成された挿通孔と、一端に設けられた解除テーパー部と、他端に設けられた操作部とを有し、該解除テーパー部が前記箱体内部に収納されると共に前記操作部が箱体の一面に設けられた前記孔部より露出し、さらに前記解除テーパー部が２つの弾性部を互いに離間させる位置と２つの弾性部を互いに離間させない位置との間を移動する係合解除部材と、一端が前記係合解除部材の挿通孔より挿入されると共に挿入時において周面に前記接続係合片の係合爪と係合する係合溝部を有する導電性の挿通端子と、前記箱体内部に収納された接続係合片の２つの弾性部の間に配備されると共に一端が接続係合片に接触し、挿通端子の挿入によって圧縮される導電性の解除スプリングとを備えたことを特徴とするコネクタ装置。」
　　
本件発明３：
「内部に回路基板を有する本体ケースと、一面に孔部を備えると共に該孔部が露出するように前記本体ケースに取り付けられた箱体と、互いに対向すると共に接近する方向へ屈曲した少なくとも２つの弾性部と、少なくとも一方の弾性部に設けられた係合爪とを有し、前記箱体内部に収納されると共に前記本体ケース内の回路基板に接続された導電性の接続係合片と、内部に形成された挿通孔と、一端に設けられた解除テーパー部と、他端に設けられた操作部とを有し、該解除テーパー部が前記箱体内部に収納されると共に前記操作部が箱体の一面に設けられた前記孔部より露出し、さらに前記解除テーパー部が２つの弾性部を互いに離間させる位置と２つの弾性部を互いに離間させない位置との間を移動する係合解除部材と、一端が前記係合解除部材の挿通孔より挿入されると共に挿入時において周面に前記接続係合片の係合爪と係合する係合溝部を有する導電性の挿通端子と、一端が前記挿通端子に接続されると共に他端が前記本体ケース内の回路基板に接続されたワイヤー部材とを備えたことを特徴とするコネクタ装置。」
　　
本件発明４：
「内部に回路基板を有する本体ケースと、一面に孔部を備えると共に該孔部が露出するように前記本体ケースに取り付けられた箱体と、互いに対向すると共に接近する方向へ屈曲した略弓形の少なくとも２つの弾性部と、少なくとも一方の弾性部の一面において対向する他方の面に向かって突出した係合爪とを有し、前記箱体内部に収納されると共に前記本体ケース内の回路基板に接続された導電性の接続係合片と、内部に形成された挿通孔と、一端に設けられた解除テーパー部と、他端に設けられた操作部とを有し、該解除テーパー部が前記箱体内部に収納されると共に前記操作部が箱体の一面に設けられた前記孔部より露出し、さらに前記解除テーパー部が２つの弾性部を互いに離間させる位置と２つの弾性部を互いに離間させない位置との間を移動する係合解除部材と、一端が前記係合解除部材の挿通孔より挿入されると共に挿入時において周面に前記接続係合片の係合爪と係合する係合溝部を有する導電性の挿通端子と、前記箱体内部に収納された接続係合片の２つの弾性部の間に配備されると共に一端が接続係合片に接触し、挿通端子の挿入によって圧縮される導電性の解除スプリングと、一端が前記挿通端子に接続されると共に他端が前記本体ケース内の回路基板に接続されたワイヤー部材とを備えたことを特徴とするコネクタ装置。」
　　
（２）申立て理由の概要
　異議申立人為永秀司は、甲第１号証（特開平６−６８９１３号公報）、甲第２号証（特開昭５８−４４６８０号公報）、甲第３号証（実願昭６３−４１６９５号（実開平１−１４３０７９号のマイクロフィルム）、甲第４号証（実願昭６３−１６１５２０号（実開平２−８０９８０号）のマイクロフィルム）、甲第５号証（特開平２−３１２１７３号公報）及び甲第６号証（特開平２−１４３９８号公報）を提出し、本件発明１〜４は、甲第１〜６号証に記載された発明に基いて当業者が容易に発明をすることができたものであり、特許法第２９条第２項の規定により特許を受けることができないものであるから、特許を取り消すべきであると主張している。
　　
（３）当審で通知した取消理由
　当審で通知した取消理由は、概略、以下のとおりである。
　本件特許は、明細書及び図面の記載が不備のため、特許法第３６条第５項に規定する要件を満たしていない特許出願に対してなされたものである。すなわち、請求項１〜４に関して、ａ）「前記挿通孔が箱体の一面に設けられた前記孔部より露出し」という記載は、係合解除部材に設けられた挿通孔の機能・構造からみて、挿通孔と孔部との位置関係を規定するには不明瞭な表現となっている、ｂ）「挿入時において一面に前記接続係合片の係合爪と係合する係合溝部を有する導電性の挿通端子」という記載は、係合溝部が設けられる「一面」が挿通端子のどの箇所を指すのかが明らかでない。
　　
（４）甲号証に記載の発明
（４−１）甲第１号証には、「速結端子装置」に関して、以下の事項が記載されている。
（イ）「この速結端子装置は、ボディ１と、速結端子２と、電線鎖錠部３ａと、電線解除具４とを有する。ボディ１は絶縁性であり箱形に形成し、上面に電線解除具挿入穴５を形成しており、ボディ本体とカバーからなる。」（【００１０】参照）
（ロ）「速結端子２は、電線鎖錠部３ａと導電板３ｂからなり、導電板３ｂはボディの底面及び側面にわたって敷設されている。電線鎖錠部３ａは導電板３ｂに形成されて折返しにより、電線解除具挿入穴５に臨む位置で、導電板３ｂの先端部の表面に対向し、ボディ１に設けた支持片１０に支持されている。電線解除具４は電線解除具挿入穴５に挿入され、先端の電線鎖錠部押圧部８が電線鎖錠部３の押圧位置に支持され、かつ電線解除具挿入穴５からの抜止め部９が一体に形成されている。・・・そして電線解除具４の中心に電線挿入孔７を貫通している。」（【００１１】参照）
（ハ）「電線挿入孔７より電線６を挿入すると電線鎖錠部３に鎖錠され導電板２に押付けられて接続状態となる。電線解除具４を押し込み電線鎖錠部３を押圧すると電線６が電線鎖錠部３から解除されるので電線６を電線挿入孔７から引き抜くことができる。」（【００１２】参照）
　　
（４−２）甲第２号証には、「電気コネクタ用差込み」に関して、以下の事項が記載されている。
（イ）「第１図は、電気コネクタ用差込み１０の一部断面図で、差込み１０の前面１２から後面１３へ延びる複数の通路１５の一つを示している。各通路１５は、環状溝１１を有し、溝の内部には環状部材２０が取り付けられている。環状部材２０は、環状部材２０が溝１１内にスナップ嵌合して通路１５の軸方向にかつ半径方向内側に弓形面２１を形成するよう、・・・弾性的に可撓性のある材料からなっている。」（第２ページ右上欄第１５行〜同頁左下欄第４行）
（ロ）「第３図は、・・・接点保持差込み１０に取りつけられた複数の接点３０，３５とからなる電気コネクタを示している。・・・環状溝を有する接点３０，３５が、接点３０，３５の溝３１内に伸長している弓形面２１により差込み１０内に保持されている様子を示している。接点３０，３５を差込み１０の後方から取りはずすには、弓形面２１が接点３０の溝３１からはずれるまで、適当な工具を挿入して弓形面２１を外側に偏位させるだけで接点３０を通路１５から取りはずすことができる。同様に、弓形面２１が接点の環状溝３１に到達して溝３１の適切な位置にスナップ結合するまで弓形面２１を外側に偏位しながら接点３０，３５を通路１５の後方へ挿入すれば、接点３０，３５を係合解除可能に保持することができる。また、接点３０，３５を差込み１０の前方から取りはずす場合には、適当な工具を用いて接点の係合を解除し接点を前方に押して・・・コネクタの前方から取り出すことができる。」（第２ページ左下欄第２０行〜第３ページ左上欄第４行）
　　
（４−３）そして、甲第３〜５号証には、コネクタ装置において、コネクタ挿入時（接点接続時）には圧縮され、コネクタ解除時には、接点が離脱する方向に付勢力を与えるばねを設ける事項が記載されており、甲第６号証には、タグコードの一端が装置本体に差し込み接続可能な構造を有する盗難防止タグ装置が記載されている。
　　
（５）対比・判断
（５−１）特許法第３６条第５項違反の有無
　上記３．（３）に摘記した点は、上記訂正の結果、解消された。
　　
（５−２）特許法第２９条第２項違反の有無
　本件発明１〜４と甲第１〜６号証に記載された発明とを対比すると、甲第１〜６号証に記載された発明には、本件発明１〜４に共通する構成であって、その発明の構成に欠くことができない事項である、
　「互いに対向すると共に接近する方向へ屈曲した少なくとも２つの弾性部と、少なくとも一方の弾性部に設けられた係合爪とを有し」ている「導電性の接続係合片」、
　についての構成は備えていない。
　なお、甲第２号証に記載されたものは、電気コネクタ内部の接点保持差込みに接点を取りつける構造として、差込み内の通路に取りつけられた環状部材の弓形面により、環状溝を有する接点を差込み内に保持するものであるが、この構造は、接点の接点保持差込みへの取りつけ専用の構造であって、接点と環状部材とにより電気的接続を行うものではない。したがって、環状部材が弾性を有するとしても、その性状は、接点との電気的接続を確実にするためのものではないし、接点との係合のために、弾性部に更に係合爪を設ける技術的思想についても見出すことはできない。
　そして、上記構成により本件発明１〜４は、「挿通端子３は・・・弾性部６ｂ、６ｂの間で接続係合片６の係合爪６ａ，６ａを押しのけ、・・挿通端子３の係合溝部３ａに接続係合片６の係合爪６ａが係合する。これによって挿通端子３はコネクタ１内に保持されると共に電気的な導通も維持され、取付ワイヤーを引っ張っても容易にはずれることはない。」（【００１８】参照）という顕著な作用効果を奏するものである。
　よって、本件発明１〜４は、甲第１〜６号証に記載された発明に基いて当業者が容易に発明をすることができたものであると言うことはできない。
　　
４．むすび
　以上のとおりであるから、特許異議申立の理由及び証拠によっては、請求項１〜４に係る特許を取り消すことはできない。
　また、他に請求項１〜４に係る特許を取り消すべき理由を発見しない。
　よって、結論のとおり決定する。
【異議決定日】
平成１４年６月２５日（２００２．６．２５）
【訂正の要旨】
　特許第３０８１４８６号発明の特許明細書中、特許請求の範囲の請求項１〜４各々において、
ａ．「挿通孔と、一端に設けられた解除テーパー部とを有し、該解除テーパー部が前記箱体内部に収納されると共に前記挿通孔が箱体の一面に設けられた前記孔部より露出し、さらに前記解除テーパー部が２つの弾性部を互いに離間させる位置と２つの弾性部を互いに離間させない位置との間を移動する係合解除部材」とあるのを、「
内部に形成された
、他端に設けられた操作部と
前記操作部
ｂ．「一端が前記係合解除部材の挿通孔より挿入されると共に挿入時において一面に前記接続係合片の係合爪と係合する係合溝部を有する導電性の挿通端子」とあるのを、「一端が前記係合解除部材の挿通孔より挿入されると共に挿入時において
周面に
　これに伴い、特許請求の範囲の記載と発明の詳細な説明の記載との整合をとるため、特許明細書の段落【０００６】、【０００７】、【００２５】、【００２６】に各々において、「挿通孔と、一端に設けられた解除テーパー部とを有し、該解除テーパー部が前記箱体内部に収納されると共に前記挿通孔が箱体の一面に設けられた前記孔部より露出し、さらに前記解除テーパー部が２つの弾性部を互いに離間させる位置と２つの弾性部を互いに離間させない位置との間を移動する係合解除部材と、一端が前記係合解除部材の挿通孔より挿入されると共に挿入時において一面に前記接続係合片の係合爪と係合する係合溝部を有する導電性の挿通端子」とあるのを、「
内部に形成された
、他端に設けられた操作部と
前記操作部
周面に
（５４）【発明の名称】
コネクタ装置
（５７）【特許請求の範囲】
　【請求項１】　一面に孔部を備えた箱体と、
　互いに対向すると共に接近する方向へ屈曲した少なくとも２つの弾性部と、少なくとも一方の弾性部に設けられた係合爪とを有し、前記箱体内部に収納された導電性の接続係合片と、
　内部に形成された挿通孔と、一端に設けられた解除テーパー部と、他端に設けられた操作部とを有し、該解除テーパー部が前記箱体内部に収納されると共に前記操作部が箱体の一面に設けられた前記孔部より露出し、さらに前記解除テーパー部が２つの弾性部を互いに離間させる位置と２つの弾性部を互いに離間させない位置との間を移動する係合解除部材と、
　一端が前記係合解除部材の挿通孔より挿入されると共に挿入時において周面に前記接続係合片の係合爪と係合する係合溝部を有する導電性の挿通端子とを備えたことを特徴とするコネクタ装置。
　【請求項２】　一面に孔部を備えた箱体と、
　互いに対向すると共に接近する方向へ屈曲した略弓形の少なくとも２つの弾性部と、少なくとも一方の弾性部の一面において対向する他方の面に向かって突出した係合爪とを有し、前記箱体内部に収納された導電性の接続係合片と、
　内部に形成された挿通孔と、一端に設けられた解除テーパー部と、他端に設けられた操作部とを有し、該解除テーパー部が前記箱体内部に収納されると共に前記操作部が箱体の一面に設けられた前記孔部より露出し、さらに前記解除テーパー部が２つの弾性部を互いに離間させる位置と２つの弾性部を互いに離間させない位置との間を移動する係合解除部材と、
　一端が前記係合解除部材の挿通孔より挿入されると共に挿入時において周面に前記接続係合片の係合爪と係合する係合溝部を有する導電性の挿通端子と、
　前記箱体内部に収納された接続係合片の２つの弾性部の間に配備されると共に一端が接続係合片に接触し、挿通端子の挿入によって圧縮される導電性の解除スプリングとを備えたことを特徴とするコネクタ装置。
　【請求項３】　内部に回路基板を有する本体ケースと、
　一面に孔部を備えると共に該孔部が露出するように前記本体ケースに取り付けられた箱体と、
　互いに対向すると共に接近する方向へ屈曲した少なくとも２つの弾性部と、少なくとも一方の弾性部に設けられた係合爪とを有し、前記箱体内部に収納されると共に前記本体ケース内の回路基板に接続された導電性の接続係合片と、
　内部に形成された挿通孔と、一端に設けられた解除テーパー部と、他端に設けられた操作部とを有し、該解除テーパー部が前記箱体内部に収納されると共に前記操作部が箱体の一面に設けられた前記孔部より露出し、さらに前記解除テーパー部が２つの弾性部を互いに離間させる位置と２つの弾性部を互いに離間させない位置との間を移動する係合解除部材と、
　一端が前記係合解除部材の挿通孔より挿入されると共に挿入時において周面に前記接続係合片の係合爪と係合する係合溝部を有する導電性の挿通端子と、
　一端が前記挿通端子に接続されると共に他端が前記本体ケース内の回路基板に接続されたワイヤー部材とを備えたことを特徴とするコネクタ装置。
　【請求項４】　内部に回路基板を有する本体ケースと、
　一面に孔部を備えると共に該孔部が露出するように前記本体ケースに取り付けられた箱体と、
　互いに対向すると共に接近する方向へ屈曲した略弓形の少なくとも２つの弾性部と、少なくとも一方の弾性部の一面において対向する他方の面に向かって突出した係合爪とを有し、前記箱体内部に収納されると共に前記本体ケース内の回路基板に接続された導電性の接続係合片と、
　内部に形成された挿通孔と、一端に設けられた解除テーパー部と、他端に設けられた操作部とを有し、該解除テーパー部が前記箱体内部に収納されると共に前記操作部が箱体の一面に設けられた前記孔部より露出し、さらに前記解除テーパー部が２つの弾性部を互いに離間させる位置と２つの弾性部を互いに離間させない位置との間を移動する係合解除部材と、
　一端が前記係合解除部材の挿通孔より挿入されると共に挿入時において周面に前記接続係合片の係合爪と係合する係合溝部を有する導電性の挿通端子と、
　前記箱体内部に収納された接続係合片の２つの弾性部の間に配備されると共に一端が接続係合片に接触し、挿通端子の挿入によって圧縮される導電性の解除スプリングと、
　一端が前記挿通端子に接続されると共に他端が前記本体ケース内の回路基板に接続されたワイヤー部材とを備えたことを特徴とするコネクタ装置。
【発明の詳細な説明】
　【０００１】
　【産業上の利用分野】
　本発明は、取り付け・取り外し作業が容易なコネクタ装置の構造に関するものであり、特に万引・盗難防止等に使用されるタグ装置に適したコネクタ装置の構造に関するものである。
　【０００２】
　【従来の技術】
　近年、店舗等における商品の万引や盗難防止のため、商品に自鳴式のタグ装置を取り付けることが多くなっている。この種の防犯システムにおいては、例えば電磁波を発するゲート装置を店舗の出入口に設置し、タグ装置を付けたままの商品が前記ゲート装置を通過すると、前記電磁波を検知してタグ装置が警告音を発するというものである。
　【０００３】
　この場合、前記タグ装置は、例えばワイヤーを介して商品に取り付け（例えば衣服であればボタンホール等を利用する等）られ、商品と共に売り場に置かれている。そして客が会計処理を済ませることなく商品を店外へと持ち出した場合は、タグ装置が商品に付属したままゲート装置を通過することになり、ゲート装置からの特定周波数の電磁波をタグ装置が検知して警告音を発生する。また、客が無理矢理に商品からタグ装置を取り外すと、ワイヤーを外されたことをタグ装置が検知し、やはり警告音を発生する。
　【０００４】
　一方、正常な買い物の場合は、会計の際に店員がタグ装置を商品から取り外すので、客が商品を持ってゲート装置を通過しても警告音は鳴らない。この場合、会計場所にはタグ装置からワイヤーを取り外しても警告音を発生しないようにするための電磁波を発する装置があるため、店員がタグ装置のワイヤーを外しても警告音を発することはない。
　【０００５】
　【発明が解決しようとする課題】
　然し乍ら、この種の防犯システムにおいては、タグ装置の商品からの取り外し（即ち、商品とタグ装置とをつないでるワイヤーを外すこと）が容易でないと、会計処理に時間がかかってしまうという問題がある。その一方で、タグ装置が容易に商品から取り外せるようにすると、客が誤ってタグ装置を外してしまい、警告音を発する危険がある。
　【０００６】
　【課題を解決するための手段】
　上記課題を解決するために本発明では、一面に孔部を備えた箱体と、互いに対向すると共に接近する方向へ屈曲した略弓形の少なくとも２つの弾性部と、少なくとも一方の弾性部の一面において対向する他方の面に向かって突出した係合爪とを有し、前記箱体内部に収納された導電性の接続係合片と、
内部に形成された
、他端に設けられた操作部と
前記操作部
周面に
　【０００７】
　また、本発明では、内部に回路基板を有する本体ケースと、一面に孔部を備えると共に該孔部が露出するように前記本体ケースに取り付けられた箱体と、互いに対向すると共に接近する方向へ屈曲した略弓形の少なくとも２つの弾性部と、少なくとも一方の弾性部の一面において対向する他方の面に向かって突出した係合爪とを有し、前記箱体内部に収納されると共に前記本体ケース内の回路基板に接続された導電性の接続係合片と、
内部に形成された
、他端に設けられた操作部と
前記操作部
周面に
　【０００８】
　【作用】
　上記の如く構成したので、挿通端子を係合解除部材の挿通孔より挿入していくと、挿通端子の先端が解除スプリングを圧縮すると共に挿通端子の係合溝部に接続係合片の係合爪が係合して取り付けが成される。次に係合解除部材を操作すると、係合解除部材の解除テーパー部が接続係合片の弾性部を互いに離間させる位置へ移動して、挿通端子の係合溝部と接続係合片の弾性部に設けられた係合爪との係合が外れると共に、圧縮されていた解除スプリングによって挿通端子が反挿入方向へと押されて挿通端子の取り外しが行われる。
　【０００９】
　また、上記の如く構成したので、挿通端子を係合解除部材の挿通孔より挿入していくと、挿通端子の先端が解除スプリングを圧縮すると共に挿通端子の係合溝部に接続係合片の係合爪が係合して取り付けが成され、ワイヤー部材の両端と本体ケース内の回路基板との電気的な導通が維持される。次に係合解除部材を操作すると、係合解除部材の解除テーパー部が接続係合片の弾性部を互いに離間させる位置へ移動して、挿通端子の係合溝部と接続係合片の弾性部に設けられた係合爪との係合が外れると共に、圧縮されていた解除スプリングによって挿通端子が反挿入方向へと押されて挿通端子の取り外しが行われ、ワイヤー部材の一端と回路基板との電気的な導通が切り離される。
　【００１０】
　【実施例】
　以下、図面を参照しつつ本発明の一実施例につき詳述する。
　【００１１】
　先ず、図１は本発明のコネクタが適用されるタグ装置の外観を示す斜視図である。同図において、８は本体ケース、９は前記本体ケース８の一面に設けられた警告音の放音部、１３は本体ケース８の内部に配置された回路基板である。４は前記本体ケース８を商品に取り付けるための取付ワイヤーであり、後述するコネクタ１によって一端が着脱可能に構成されている。尚、この取付ワイヤー４は内部に導電線が入ったワイヤー（例えば被覆リード線等）である。
　【００１２】
　次に、図２及び図３は前記コネクタ１及び取付ワイヤー４の構成を示す斜視図である。同図に示す如く、前記コネクタ１は、天板部１ａと箱部１ｂとで構成される直方体形状の箱体の内部に接続係合片６，係合解除部材２，解除スプリング７を収納している。
　【００１３】
　そして前記係合解除部材２には、解除テーパー部２ａ及び内部に段を有する段付挿通孔２ｂが形成され、そして一端にある操作部２ｃがコネクタ１の箱部１ｂに形成された孔部１０より外方へ露出するようにしてコネクタ１内に収納されている。
　【００１４】
　また、前記接続係合片６は、導電性の金属片から成り、中央部が互いに接近するように屈曲した略弓形の弾性部６ｂ，６ｂを有し、そして該弾性部６ｂ，６ｂの中央部付近には、係合爪６ａ，６ａが形成されている。さらに接続係合片６の一端には、本体ケース８（図１参照）内部の回路基板１３へ接続するためのリード線５が接続されている。尚、１１は箱部１ｂの一面に形成されたリード線５の通孔である。
　【００１５】
　尚、図７に示すように、前記接続係合片６に接続片６ｃを一体に形成し、この接続片６ｃを直接回路基板１３へ半田付けするように構成することで、リード線５を廃止することが出来る。
　【００１６】
　一方、前記取付ワイヤー４の一端には導電性の挿通端子３が取り付けられている。該挿通端子３の先端には挿入テーパー部３ｂが形成され、そして前記接続係合片６の係合爪６ａと係合する係合溝部３ａが形成され、さらに挿入時のストッパーとなる段部３ｃが形成されている。尚、挿通端子３と取付ワイヤー４とは電気的にも接続されており、また取付ワイヤー４の他端は本体ケース８の内部の回路基板１３へと接続されている。
　【００１７】
　さらに前記解除スプリング７は、図３に示すように、コネクタ１の箱部１ｂ内に一体に形成されたガイド壁１２，１２間に配備されているものである。
　【００１８】
　続いて、図４乃至図６に基づき、コネクタの取り付け及び取り外し行程について詳述する。先ず、図４に示すように、矢印Ａ方向へ挿通端子３をその先端の挿入テーパー部３ｂより係合解除部材２の段付挿通孔２ｂへと挿入する。挿通端子３は係合解除部材２の段付挿通孔２ｂを通り、そして弾性部６ｂ，６ｂの間で接続係合片６の係合爪６ａ，６ａを押しのけ、さらには解除スプリング７に抗して奥へと挿入され、やがて挿通端子３の段部３ｃが段付挿通孔２ｂの段に当接して挿入が完了される。同時に、図５に示すように、挿通端子３の係合溝部３ａに接続係合片６の係合爪６ａが係合する。これによって挿通端子３はコネクタ１内に保持されると共に電気的な導通も維持され、取付ワイヤー４を引っ張っても容易に外れることはない。
　【００１９】
　結局、取付ワイヤー４の両端は内部回路基板１３に接続されることになり、内部回路がこの導通状態を監視することで、取付ワイヤー４がきちんと取り付けられているか（即ち、タグ装置が商品から外れていないか）を監視することが出来る。無論、取付ワイヤー４が切断されても同様に検出出来ることは言うまでもない。
　【００２０】
　尚、同図に示すように、挿通端子３の挿入によって解除スプリング７が圧縮され、解除スプリング７の一端が接続係合片６に圧接されるため、この部分も導通に寄与して導電の信頼性が高まるという効果がある。
　【００２１】
　次に、挿通端子３を外す場合について説明する。図６に示すように、係合解除部材２の操作部２ｃを矢印Ｂ方向へと押し込むと、係合解除部材２の解除テーパー部２ａが接続係合片６の弾性部６ｂ，６ｂを互いに離間させることになり、これによって挿通端子３の係合溝部３ａと接続係合片６の係合爪６ａとの係合が解除される。そして同時に、圧縮されていた解除スプリング７によって挿通端子３は矢印Ｃ方向に押し戻されるので、もはや挿通端子３の係合溝部３ａと接続係合片６の係合爪６ａとが係合することはなく、あとは容易に挿通端子３を引き抜くことができる。
　【００２２】
　尚、この作業は会計所にて行われる。会計所にはタグ装置より警告音を発生させないための電磁波を発生しており、これを回路基板１３が受信した場合、回路基板１３は、挿通端子３を引き抜いたり、あるいは取付ワイヤー４を切断しても警告音は発生しないように制御する。一方、会計所為外の場所で挿通端子３を引き抜いたり取付ワイヤー４を切断すると、回路基板１３がこれを検出し、本体ケース８に設けられた放音部９より警告音を発する。
　【００２３】
　以上の様な構成にすることにより、取付ワイヤー４を引っぱっても、容易に挿通端子３が抜けることはなく、しかも係合解除部材２の操作部２ｃを矢印Ｂ方向へと押し込むといった簡単な操作で取り外しが可能であり、迅速な会計処理が可能となる。
　【００２４】
　また、前記したように、挿通端子３と接続係合片６との導通以外にも、挿通端子３と解除スプリング７を介しても接続係合片６と導通するため、導通のための接点が多く、導電の信頼性が高まるという効果も有している。
　【００２５】
　【発明の効果】
　以上、詳述した如く本発明に依れば、一面に孔部を備えた箱体と、互いに対向すると共に接近する方向へ屈曲した略弓形の少なくとも２つの弾性部と、少なくとも一方の弾性部の一面において対向する他方の面に向かって突出した係合爪とを有し、前記箱体内部に収納された導電性の接続係合片と、
内部に形成された
、他端に設けられた操作部と
前記操作部
周面に
　【００２６】
　また、本発明に依れば、内部に回路基板を有する本体ケースと、一面に孔部を備えると共に該孔部が露出するように前記本体ケースに取り付けられた箱体と、互いに対向すると共に接近する方向へ屈曲した略弓形の少なくとも２つの弾性部と、少なくとも一方の弾性部の一面において対向する他方の面に向かって突出した係合爪とを有し、前記箱体内部に収納されると共に前記本体ケース内の回路基板に接続された導電性の接続係合片と、
内部に形成された
、他端に設けられた操作部と
前記操作部
周面に
　【００２７】
　さらには、挿通端子と接続係合片との接触のみならず、解除スプリングを介して挿通端子と接続係合片との導通も行えるので、電気的な信頼性も向上する。
【図面の簡単な説明】
　【図１】
　本発明が適用されるタグ装置の外観を示す斜視図。
　【図２】
　コネクタ装置の構成を示す図。
　【図３】
　コネクタ装置の構成を示す図。
　【図４】
　本発明の動作を説明する図。
　【図５】
　本発明の動作を説明する図。
　【図６】
　本発明の動作を説明する図。
　【図７】
　接続係合片の構成を示す図。
　【符号の説明】
　１　　コネクタ
　１ａ　天板部
　１ｂ　箱部
　２　　係合解除部材
　２ａ　解除テーパー部
　２ｂ　段付挿通孔
　２ｃ　操作部
　３　　挿通端子
　３ａ　係合溝部
　３ｂ　挿入テーパー部
　３ｃ　段部
　４　　取付ワイヤー
　５　　リード線
　６　　接続係合片
　６ａ　係合爪
　６ｂ　弾性部
　６ｃ　接続片
　７　　解除スプリング
　８　　本体ケース
　９　　放音部
　１０　孔部
　１１　通孔
　１２　ガイド壁
　１３　回路基板